(57)【要約】【課題】  複数のアウト玉回収装置の玉受け部の配置位置を一様に調整することが容易に行えるゲージ器を提供する。【解決方法】  ゲージ器１０は、内枠３の裏面下部に当接する第１当接部２４，２９と、長手方向の端面が内枠３の非軸支側の側端面５と同一面上に位置するよう設置される主体部２０と、主体部２０の長手方向でスライド移動する第１スライド移動部材４１及び主体部２０の長手方向と直交する方向でスライド移動する第２スライド移動部材５０を有するスライド移動部４０と、アウト玉の排出位置に合わせる位置合わせ部５５と、から構成されているため、玉受け部６０をアウト玉の排出位置に合った位置に配置することができる。そして、アウト玉の排出位置が調整済みのゲージ器１０で玉受け部６０の位置を決める作業を繰り返すことにより、複数のアウト玉回収装置１１の玉受け部６０の調整を一様に行なうことができる。【選択図】        図１
2005319125.tif 000002
【特許請求の範囲】
【請求項１】
外枠に対して開閉可能に一側方が軸支される内枠を備えたパチンコ機等の裏面側に形成されるアウト玉排出口から排出されるアウト玉の排出位置に対応させて、前記アウト玉を回収し且つ左右方向及び前後方向に移動可能なアウト玉回収装置の玉受け部の配置位置を調整するためのゲージ器において、
該ゲージ器は、
前記内枠の裏面下部に当接する第１当接部と、
前記内枠の裏面下部に前記第１当接部が当接することにより前記内枠の下端辺に対して平行に設置されると共に、その長手方向の一端面が前記内枠の非軸支側の側端面と同一面上に位置するよう設置される主体部と、
該主体部の長手方向に沿ってスライド移動する第１スライド移動部材と前記主体部の長手方向と直交する方向で前記第１スライド移動部材に対してスライド移動する第２スライド移動部材とを有するスライド移動部と、
前記第２スライド移動部材の先端側に設けられ、前記アウト玉排出口から排出されるアウト玉の排出位置に合わせる位置合わせ部と、から構成されていることを特徴とするゲージ器。
【請求項２】
前記アウト玉回収装置は、
前記パチンコ機等が設置されるパチンコ島台に、前記パチンコ機等の横幅方向と平行となるように取り付けられる本体ベースと、
該本体ベースの長手方向に沿ってスライド移動するスライドベースと、
前記アウト玉排出口から排出されたアウト玉を受け入れると共に、前記本体ベースの長手方向と直交する方向で前記スライドベースに対してスライド移動する玉受け部と、から構成され、
前記本体ベース又は前記スライドベースに玉受け部左右目盛りが形成されると共に、前記玉受け部又は前記スライドベースに玉受け部前後目盛りが形成され、
前記ゲージ器は、
前記主体部に前記玉受け部左右目盛りと対応するゲージ器左右目盛りが形成されると共に、前記第２スライド移動部材に前記玉受け部前後目盛りと対応するゲージ器前後目盛りが形成されていることを特徴とする請求項１記載のゲージ器。
【請求項３】
前記主体部には、前記外枠の側壁外部面に当接する外枠当接部が形成されていることを特徴とする請求項１記載のゲージ器。
【請求項４】
前記主体部には、前記内枠の非軸支側の側端面からの距離を計測可能な左右計測目盛りが形成されると共に、前記第２スライド移動部材には、前記内枠の裏面からの距離を計測可能な前後計測目盛りが形成されることにより、前記内枠の非軸支側の側端面から前記排出位置までの距離及び前記内枠の裏面から前記排出位置までの距離を計測可能であることを特徴とする請求項１記載のゲージ器。
【請求項５】
前記主体部には、前記内枠の非軸支側の側端面に当接する第２当接部が形成されていることを特徴とする請求項１乃至請求項３のいずれかに記載のゲージ器。
【請求項６】
前記主体部には、前記内枠の非軸支側の側端面に当接する第２当接部が形成され、
前記内枠の非軸支側の側端面に前記第２当接部を当接させると、前記主体部に形成された前記左右計測目盛りの始点を前記内枠の非軸支側の側端面に対応することを特徴とする請求項４記載のゲージ器。
【請求項７】
前記主体部と前記スライド移動部とのいずれか一方又は両方の上面には、前記アウト玉排出口を視認するための鏡が備えられていることを特徴とする請求項１乃至請求項６のいずれかに記載のゲージ器。
【請求項８】
前記位置合わせ部は、上下方向に伸縮する伸縮部材により高さ位置が調節可能であることを特徴とする請求項１乃至請求項７のいずれかに記載のゲージ器。
【発明の詳細な説明】
【技術分野】
【０００１】
本発明は、外枠に対して開閉可能に一側方が軸支される内枠を備えたパチンコ機等の裏面側に形成されるアウト玉排出口から排出されるアウト玉の排出位置に対応させて、前記アウト玉を回収し且つ左右方向及び前後方向に移動可能なアウト玉回収装置の玉受け部の配置位置を調整するためのゲージ器に関するものである。
【背景技術】
【０００２】
パチンコ島台に設置されたパチンコ機の裏面側に形成されたアウト玉排出口から排出されるアウト玉を受け止めた後に計数し、所定のアウト玉回収樋に誘導するアウト玉回収装置として、従来から様々な技術思想のもとに数多く開発され、製品化されてきた。これらのアウト玉回収装置においては、アウト玉を受け止める部分である玉受け部の小型化や、あるいは玉受け部での玉詰まりの防止等が検討されてきたが、出願人はこれらの問題を解決したアウト玉回収装置として、特許文献１に開示されるアウト玉回収装置を開発した。この特許文献１に開示されるアウト玉回収装置では、玉受け部を小型化することにより、玉受け部内にアウト玉排出口から排出されるアウト玉以外の玉が飛び込み難くなることで誤差玉が少なくなる、あるいは、塵や埃が玉受け部内に侵入し難くなるという効果を奏することができた。更に、玉受け部を小型化することにより、製造コストの削減を図ることができた。
【特許文献１】特開２００３−１８１１１３号公報
【発明の開示】
【発明が解決しようとする課題】
【０００３】
ところで、近年のパチンコ機においては、上記した裏面側に形成されるアウト玉排出口は、その形成位置がメーカー毎あるいは機種毎等によって異なるため、新台入替等でパチンコ機を入れ替えた場合には、アウト玉が排出される排出位置が変わることがある。この際、アウト玉排出口の形成位置の違いが僅かであるか、あるいは玉受け部がアウト玉排出口の形成位置の違いに対応できるのに十分な大きさであれば問題ないが、上記したような玉受け部を小型化したアウト玉回収装置の場合には、パチンコ玉を受け入れる面積が小さい分、パチンコ機を入れ替えるたびに玉受け部の配置位置を調整しなければならなかった。
【０００４】
ところが、上記した玉受け部の配置位置の調整は、例えば、パチンコ機に備えられた基板等の部品によってアウト玉排出口が見にくい等の理由により、その作業が困難なものであり、また、この配置位置の調整の作業は作業者の目測や勘に頼るところが大きく、入れ替えた複数のパチンコ機すべてを一様に調整することは手間のかかる作業であるという問題があった。
【０００５】
そこで、本発明は、上記した事情に鑑みなされたもので、その目的とするところは、複数のアウト玉回収装置の玉受け部の配置位置を一様に調整することが容易に行えるゲージ器を提供することにある。
【課題を解決するための手段】
【０００６】
そこで、請求項１に係る発明について、図面を参照して説明すると、図１に示すように、外枠８に対して開閉可能に一側方が軸支される内枠３を備えたパチンコ機２等の裏面側に形成されるアウト玉排出口７から排出されるアウト玉の排出位置に対応させて、前記アウト玉を回収し且つ左右方向及び前後方向に移動可能なアウト玉回収装置１１の玉受け部６０の配置位置を調整するためのゲージ器１０において、該ゲージ器１０は、前記内枠３の裏面下部に当接する第１当接部２４，２９と、前記内枠３の裏面下部に前記第１当接部２４，２９が当接することにより前記内枠３の下端辺４に対して平行に設置されると共に、その長手方向の一端面が前記内枠３の非軸支側の側端面５と同一面上に位置するよう設置される主体部２０と、該主体部２０の長手方向に沿ってスライド移動する第１スライド移動部材４１と前記主体部２０の長手方向と直交する方向で前記第１スライド移動部材４１に対してスライド移動する第２スライド移動部材５０とを有するスライド移動部４０と、前記第２スライド移動部材５０の先端側に設けられ、前記アウト玉排出口７から排出されるアウト玉の排出位置に合わせる位置合わせ部５５と、から構成されていることを特徴とするゲージ器１０とした。
【０００７】
また、請求項２に係る発明では、図面を参照して説明すると、図１１，図１２に示すように、請求項１に記載されるゲージ器１０は、前記アウト玉回収装置１１は、前記パチンコ機２等が設置されるパチンコ島台１に、前記パチンコ機２等の横幅方向と平行となるように取り付けられる本体ベース７５と、該本体ベース７５の長手方向に沿ってスライド移動するスライドベース７０と、前記アウト玉排出口７から排出されたアウト玉を受け入れると共に、前記本体ベース７５の長手方向と直交する方向で前記スライドベース７０に対してスライド移動する玉受け部６０と、から構成され、前記本体ベース７５又は前記スライドベース７０に玉受け部左右目盛り７６が形成されると共に、前記玉受け部６０又は前記スライドベース７０に玉受け部前後目盛り６６が形成され、前記ゲージ器１０は、前記主体部２０に前記玉受け部左右目盛り７６と対応するゲージ器左右目盛り３１が形成されると共に、前記第２スライド移動部材５０に前記玉受け部前後目盛り６６と対応するゲージ器前後目盛り５３が形成されていることを特徴とするゲージ器１０とした。
【０００８】
また、請求項３に係る発明では、図面を参照して説明すると、図１に示すように、請求項１に記載されるゲージ器１０は、前記主体部２０には、前記外枠８の側壁外部面９に当接する外枠当接部２５が形成されていることを特徴とするゲージ器１０とした。
【０００９】
また、請求項４に係る発明では、図面を参照して説明すると、図７に示すように、請求項１に記載されるゲージ器１０は、前記主体部２０には、前記内枠３の非軸支側の側端面５からの距離を計測可能な左右計測目盛り３２が形成されると共に、前記第２スライド移動部材５０には、前記内枠３の裏面からの距離を計測可能な前後計測目盛り５４が形成されることにより、前記内枠３の非軸支側の側端面から前記排出位置までの距離及び前記内枠３の裏面から前記排出位置までの距離を計測可能であることを特徴とするゲージ器１０とした。
【００１０】
また、請求項５に係る発明では、図面を参照して説明すると、図１，図７，図１１に示すように、請求項１乃至請求項３のいずれかに記載されるゲージ器１０は、前記主体部２０には、前記内枠３の非軸支側の側端面５に当接する第２当接部２６が形成されていることを特徴とするゲージ器１０とした。
【００１１】
また、請求項６に係る発明では、図面を参照して説明すると、図７に示すように、請求項４に記載されるゲージ器１０は、前記主体部２０には、前記内枠３の非軸支側の側端面５に当接する第２当接部２６が形成され、前記内枠３の非軸支側の側端面に前記第２当接部２６を当接させると、前記主体部２０に形成された前記左右計測目盛り３２の始点を前記内枠３の非軸支側の側端面５に対応することを特徴とするゲージ器１０とした。
【００１２】
また、請求項７に係る発明では、図面を参照して説明すると、図１，図７，図１１に示すように、請求項１乃至請求項６のいずれかに記載されるゲージ器１０は、前記主体部２０と前記スライド移動部４０とのいずれか一方又は両方の上面には、前記アウト玉排出口７を視認するための鏡４５，５２が備えられていることを特徴とするゲージ器１０とした。
【００１３】
また、請求項８に係る発明では、図面を参照して説明すると、図１，図７，図１１に示すように、請求項１乃至請求項７のいずれかに記載されるゲージ器１０は、前記位置合わせ部５５は、上下方向に伸縮する伸縮部材５６により高さ位置が調節可能であることを特徴とするゲージ器１０とした。
【発明の効果】
【００１４】
請求項１に係る発明においては、ゲージ器１０は、内枠３の裏面下部に当接する第１当接部２４，２９と、内枠３の下端辺４に平行に配置されると共にその長手方向の一端面が内枠３の非軸支側の側端面５と同一面上に位置するよう設置される主体部２０と、主体部２０の長手方向でスライド移動する第１スライド移動部材４１及び主体部２０の長手方向と直交する方向で第１スライド移動部材４１に対してスライド移動する第２スライド移動部材５０を有するスライド移動部４０と、第２スライド移動部材５０の先端側に設けられてアウト玉排出口７から排出されるアウト玉の排出位置に合わせる位置合わせ部５５と、から構成されている。このように構成されたゲージ器１０の第１当接部２４，２９を内枠３の裏面下部に当接させた後、第１スライド移動部材４１及び第２スライド移動部材５０をそれぞれ主体部２０の長手方向及び長手方向と直交する方向でスライド移動させて、第２スライド移動部材５０の位置合わせ部５５をアウト玉排出口７のアウト玉の排出位置に合わせる。
【００１５】
第２スライド移動部材５０の位置合わせ部５５をアウト玉の排出位置に合わせた後、ゲージ器１０の外枠８を構成する下枠板１２に載置し、アウト玉の排出位置に合わせた第２スライド移動部材５０の位置合わせ部５５が示す位置に、アウト玉回収装置１１の玉受け部６０を配置させる。このとき、内枠３の非軸支側の側端面５及び外枠８の非軸支側の側壁外部面９と主体部２０の長手方向の一端面との位置関係を考慮する。具体的には、例えば、前述した第２スライド移動部材５０の位置合わせ部５５をアウト玉排出口７のアウト玉の排出位置に合わせる作業の際に、主体部２０の長手方向の一端面を内枠３の非軸支側の側端面５に合わせた場合には、同じく主体部２０の長手方向の一端面を、内枠３の非軸支側の側端面５と同一面上に位置する外枠８の非軸支側の側壁外部面９に合わせる。
【００１６】
上記のようにして、アウト玉回収装置１１の玉受け部６０をアウト玉の排出位置に合った位置に配置することができる。そして、アウト玉の排出位置に調整済みのゲージ器１０を、上記と同様に外枠８の下枠板１２に載置してアウト玉回収装置１１の玉受け部６０の位置を決める作業を繰り返すことにより、複数のアウト玉回収装置１１の玉受け部６０の調整を一様に行なうことができる。即ち、本実施形態に係るゲージ器１０を用いることにより、複数のアウト玉回収装置１１の玉受け部６０の配置位置の調整を同一の基準で、一様に容易に調整することができるようになる。
【００１７】
請求項２に係る発明においては、アウト玉回収装置１１は、前記パチンコ機２等の横幅方向と平行となるようにパチンコ島台１に取り付けられる本体ベース７５と、本体ベース７５の長手方向に沿ってスライド移動するスライドベース７０と、アウト玉排出口７から排出されたアウト玉を受け入れ、本体ベース７５の長手方向と直交する方向でスライドベース７０に対してスライド移動する玉受け部６０と、から構成され、本体ベース７５又は前記スライドベース７０に玉受け部左右目盛り７６が形成されると共に、玉受け部６０又は前記スライドベース７０に玉受け部前後目盛り６６が形成されている。また、ゲージ器１０は、主体部２０に玉受け部左右目盛り７６と対応するゲージ器左右目盛り３１が形成されると共に、第２スライド移動部材５０に玉受け部前後目盛り６６と対応するゲージ器前後目盛り５３が形成されている。
【００１８】
これにより、ゲージ器１０の第２スライド移動部材５０の位置合わせ部５５をアウト玉排出口７のアウト玉の排出位置に合わせた際、第１スライド移動部材４１及び第２スライド移動部材５０の位置がそれぞれゲージ器左右目盛り３１及びゲージ器前後目盛り５３によって数値化され、この数値を玉受け部左右目盛り７６及び玉受け部前後目盛り６６にそれぞれ適用することにより、アウト玉回収装置１１の玉受け部６０をアウト玉排出口７のアウト玉の排出位置に合わせた位置に設置することができる。このため、アウト玉回収装置１１の玉受け部６０をアウト玉排出口７のアウト玉の排出位置に合わせる際、内枠３の非軸支側の側端面５及び外枠８の非軸支側の側壁外部面９と主体部２０の側端面５との位置関係を考慮しながら、ゲージ器１０を外枠８の下枠板１２に載置するという作業をする必要がなくなり、ゲージ器左右目盛り３１及びゲージ器前後目盛り５３の数値に基づいて、複数のアウト玉回収装置１１の玉受け部６０の配置位置を一様に容易に調整することができる。
【００１９】
請求項３に係る発明においては、主体部２０には、外枠８の側壁外部面９に当接する外枠当接部２５が形成されている。これにより、外枠当接部２５を外枠８の側壁外部面９に当接させることでゲージ器１０を外枠８に対して設置し易くなると共に、外枠８と主体部２０との位置関係を常に一定に保つことができるため、アウト玉の排出位置に合わせた第２スライド移動部材５０の位置合わせ部５５が示す位置にアウト玉回収装置１１の玉受け部６０を配置させる作業が行い易くなり、複数のアウト玉回収装置１１の玉受け部６０の配置位置の調整が更に、容易となる。
【００２０】
請求項４に係る発明においては、主体部２０には、内枠３の非軸支側の側端面５からの距離を計測可能な左右計測目盛り３２が形成されると共に、第２スライド移動部材５０には、前記内枠３の裏面からの距離を計測可能な前後計測目盛り５４が形成され、内枠３の非軸支側の側端面から排出位置までの距離及び内枠３の裏面から排出位置までの距離を計測可能である。これにより、計測結果を用いてアウト玉回収装置１１の玉受け部６０の配置位置を決定することができるため、複数のパチンコ機２にそれぞれ備えられるすべてのアウト玉回収装置１１の玉受け部６０の配置位置を、計測した結果を用いて容易に決定することができる。
【００２１】
請求項５に係る発明においては、主体部２０には、内枠３の非軸支側の側端面５に当接する第２当接部２６が形成されている。これにより、第２当接部２６を内枠３の非軸支側の側端面に当接させることでゲージ器１０を内枠３に対して設置し易くなると共に、内枠３と主体部２０との位置関係を常に一定に保つことができるため、第２スライド移動部材５０の位置合わせ部５５をアウト玉の排出位置に合わせる作業が行い易くなる。
【００２２】
請求項６に係る発明においては、主体部２０には、内枠３の非軸支側の側端面５に当接する第２当接部２６が形成され、内枠３の非軸支側の側端面に第２当接部２６を当接させると、主体部２０に形成された左右計測目盛り３２の始点が内枠３の非軸支側の側端面５に対応する。これにより、第２当接部２６を内枠３の非軸支側の側端面に当接させることでゲージ器１０を内枠３に対して設置し易くなると共に、内枠３の非軸支側の側端面からのアウト玉の排出位置を正確に計測することができる。
【００２３】
請求項７に係る発明においては、主体部２０とスライド移動部４０とのいずれか一方又は両方の上面には、パチンコ機２の下方からアウト玉排出口７を視認するための鏡４５，５２が備えられている。これにより、第２スライド移動部材５０の位置合わせ部５５をアウト玉排出口７のアウト玉の排出位置に合わせる作業を行なう際、例えば、内枠３の裏面下方に基板等が配置されてアウト玉排出口７が見にくいような場合でも、鏡４５，５２によってアウト玉排出口７を視認することができるため、作業を適切に行なうことができる。
【００２４】
請求項８に係る発明においては、位置合わせ部５５は、上下方向に伸縮する伸縮部材５６により高さ位置が調節可能である。これにより、例えば、アウト玉排出口７が内枠３の下端面から離れた位置にあり、位置合わせ部５５をアウト玉排出口７の排出位置に合わせ難い場合、位置合わせ部５５を上方に伸ばしてアウト玉排出口７に近づけることにより、位置合わせ部５５とアウト玉排出口７との配置関係が把握し易くなり、位置合わせ部５５をアウト玉排出口７の排出位置に容易に合わせることができる。
【発明を実施するための最良の形態】
【００２５】
以下、図面を参照して本発明の実施形態について説明する。図１は、第１実施形態に係るゲージ器１０を内枠３に設置する状態の斜視図であり、図２は、第１実施形態に係るゲージ器１０を内枠３に設置した状態の正面図であり、図３は、第１実施形態に係るゲージ器１０を内枠３に設置した状態の側面図であり、図４は、第１実施形態に係るゲージ器１０を外枠８に設置してアウト玉回収装置１１の玉受け部６０の配置位置を調整する状態の斜視図であり、図５は、第１実施形態に係るゲージ器１０を外枠８に設置する状態の平面図であり、図６は、第１実施形態に係るゲージ器１０を外枠８に設置した状態の平面図であり、図７は、第２実施形態に係るゲージ器１０を内枠３に設置する状態の斜視図であり、図８は、第２実施形態に係るゲージ器１０を内枠３に設置した状態の正面図であり、図９は、第２実施形態に係るゲージ器１０を内枠３に設置した状態の側面図であり、図１０は、第２実施形態に係るアウト玉回収装置１１の玉受け部６０の配置位置を調整する状態の斜視図であり、図１１は、第３実施形態に係るゲージ器１０を内枠３に設置する状態の斜視図であり、図１２は、第３実施形態に係るアウト玉回収装置１１の玉受け部６０の配置位置を調整する状態の斜視図である。なお、以下の説明において、パチンコ機２の前面側を前面側、パチンコ機２の後面側を後面側として説明する。
【００２６】
パチンコ島台１は、周知のように、直方体状に枠組み構成され、その長手方向両面に複数のパチンコ機２を背向列設するようになっているものであるが、図４において、その一部のみを図示している。図４に示すように、パチンコ島台１に設置されたパチンコ機２の後面側下方の位置には、パチンコ機２で使用されてアウト玉排出口７から排出されたパチンコ玉を受け入れ、この受け入れたパチンコ玉をパチンコ島台１内のアウト玉回収樋（図示しない）に送るためのアウト玉回収装置１１が設置されている。このアウト玉回収装置１１は、アウト玉回収装置１１を構成する後述の本体ベース７５によってパチンコ島台１に取り付けられている。また、アウト玉回収装置１１は、後述するように玉受け部６０が左右方向及び前後方向に移動可能に構成されるものであるが、この場合左右方向とは本体ベース７５の長手方向、即ち、図４で示すようにパチンコ島台１に設置した場合のパチンコ機２の横幅方向であり、前後方向とは本体ベース７５の長手方向と直交する方向、即ち、パチンコ島台１に設置した場合のパチンコ機２の奥行き方向である。なお、パチンコ機２の後面側から排出されるパチンコ玉、即ち、アウト玉排出口７から排出されるパチンコ玉のことを、通称、「アウト玉」という。
【００２７】
次に、上記したアウト玉回収装置１１の構成について、以下に簡単に説明する。アウト玉回収装置１１は、主として、パチンコ機２の横幅方向と平行となるように取り付けられる本体ベース７５と、この本体ベース７５の長手方向に沿ってスライド移動するスライドベース７０と、アウト玉排出口７から排出されたパチンコ玉を受け入れると共に、本体ベース７５の長手方向と直交する方向でスライドベース７０に対してスライド移動する玉受け部６０と、から構成されている。また、上記した玉受け部６０には、この玉受け部６０で受け入れたパチンコ玉を一列で転動させてアウト玉回収樋へ排出する玉排出部６２が一体的に形成されている。この玉受け部６０と玉排出部６２とは、玉受け部６０で受け入れたパチンコ玉が玉排出部６２へ誘導されるように、玉排出部６２の上流側の所定の長さに亘って連通するものである。また、玉排出部６２は玉受け部６０の外周を構成する外周壁６１と内接しているものであり、玉排出部６２の上流側と玉受け部６０とが所定区間、内接して配置されることにより一体となり、玉受け部６０だけの形状で見れば、ほぼ円筒形状で、平面視でほぼ円形状に形成されている。
【００２８】
ここで、玉受け部６０について説明すると、玉受け部６０は、上記したように円筒形状に形成されると共に、その底部が傾斜底面６８として形成されている。この傾斜底面６８の表面には、玉受け部６０で受け入れたパチンコ玉が大きく弾んで玉受け部６０の外へ飛び出さないように、低反発性部材が貼付されている。また、玉受け部６０の外周は、外周壁６１によって形成されており、上記した玉排出部６２の上流側が所定区間に亘って、この外周壁６１に内接して配置されている。このように、玉排出部６２の上流側の所定区間が外周壁６１に内接して配置されているため、玉排出部６２の上流側の一部が玉受け部６０と一体的に構成され、玉受け部６０を全体として円筒形状に形成することができる。
【００２９】
これにより、玉受け部６０と玉排出部６２が一体となっていながら、玉受け部６０をその中心を回転軸として回転させた場合であってもパチンコ玉を受け止める範囲が変化しない、という円筒型のアウト玉回収装置１１の特徴を活かすことができると共にアウト玉回収装置１１の意匠性も高めることができる。
【００３０】
また、玉受け部６０の裏面側には、図４に示すように、玉受け部６０をスライドベース７０に対して前後方向にスライド移動させるための底面部材６９が取り付けられている。この底面部材６９の両側面には、スライドベース７０に形成される後述する係合部７２が係合するスライドガイド部６５が凹状に形成されている。
【００３１】
次に、玉排出部６２について説明すると、図４において、玉排出部６２は、上記したように、上流側の所定区間は、玉受け部６０と内接し一体的に形成されるものであり、また、所定区間外の下流側では、側面が側壁８０として形成されると共に、その底部が底面部（図示しない）として形成され、この底面部の下流端には、パチンコ玉を略垂直に落下させるためのパチンコ玉落下口（図示しない）が形成されている。
【００３２】
また、玉排出部６２の下流側には、取付部材６３によって玉計数器６４が取り付けられている。なお、玉計数器６４の後面側には、パチンコ玉落下口に対応してパチンコ玉が通過する玉通過穴（図示しない）が形成され、この玉通過穴を通って、アウト玉回収樋へ排出される。
【００３３】
次に、スライドベース７０について説明すると、スライドベース７０は、図４に示すように、縦断面視がほぼコ字状に形成され、その開口側が開口部７１として形成されている。また、その上面側の長手方向（左右方向）ほぼ中央には、前述した玉受け部６０の底面部材６９が嵌入される底板部材嵌入部（図示しない）が凹状に形成されると共に、この底板部材嵌入部の内側両側面には、底板部材６９のスライドガイド部６５に係合する係合部７２が突設されている。
【００３４】
しかして、上記した底板部材６９のスライドガイド部６５をスライドベース７０の係合部７２に沿って摺動させることにより、玉受け部６０がスライドベース７０上をパチンコ機２の前後方向でスライド移動することとなる。
【００３５】
また、本体ベース７５について説明すると、本体ベース７５は、図４で示すように、長尺な箱形状に形成されるものであり、パチンコ機２の横幅方向と平行となるように、図示しない取付ネジによってパチンコ島台１に取り付けられる。この本体ベース７５は、主として、パチンコ島台１に直接取り付けられる取付ベース７８と、その上面部をスライドベース７０が移動する摺動ガイド板７９と、から構成されている。取付ベース７８は、上方が開口した箱形状に形成されるものであり、また、摺動ガイド板７９は、ほぼ平板状に形成されるものである。
【００３６】
しかして、上記した取付ベース７８及び摺動ガイド板７９によって箱形状に形成された本体ベース７５に対し、玉受け部６０が取り付けられたスライドベース７０を取り付ける。このとき、スライドベース７０の開口部７１を本体ベース７５に嵌め込むように、本体ベース７５の上方にスライドベース７０を位置させる。これにより、スライドベース７０が本体ベース７５に対し、本体ベース７５の長手方向に沿ってスライド移動可能に取り付けられる。そして、スライドベース７０に穿設された取付穴（図示しない）に挿通した位置決めネジ７３を、本体ベース７５内に備えられた固定部材（図示しない）に螺着することにより、スライドベース７０が本体ベース７５に対して固定されることとなる。
【００３７】
上記のように本体ベース７５に対して固定されたスライドベース７０は、位置決めネジ７３を固定部材から外れない程度に緩めることにより、左右方向で移動可能となる。そして、スライドベース７０を移動させて所望の位置とした後、位置決めネジ７３を締め付けることにより、再びスライドベース７０が本体ベース７５に対して固定される。
【００３８】
以上、アウト玉回収装置１１について説明したが、次に、本実施形態の要部を構成するゲージ器１０について、図を参照して説明する。
【００３９】
なお、本実施形態に係るゲージ器１０は、後述するように、パチンコ機２の前面側に位置する内枠３に対して設置されるものであるが、この内枠３の裏面側には、図１に示すように、パチンコ機２からのアウト玉を排出するためのアウト玉排出口７やパチンコ機２に備えられる表示器（図示しない）等を制御するための基板６等が備えられている。また、内枠３は外枠７に対して開閉可能にその一側方が軸支されるものであり、軸支される側と反対側、即ち、非軸支側の端面が側端面５として形成されると共に、その下端が下端辺４として形成されている。また、内枠３の非軸支側の側端面５と外枠８の非軸支側に形成される側壁外部面９とは、ほぼ同一面上に位置するものであり、後述するように、ゲージ器１０を内枠３及び外枠８に対して設置する際の基準となる面である。なお、内枠３と外枠８との軸支機構は、図面上では省略されている。
【００４０】
まず、ゲージ器１０について説明すると、本実施形態に係るゲージ器１０は、図１に示すように、主として、内枠３の裏面下部に当接する第１当接部２４，２９と、内枠３の裏面下部に第１当接部２４，２９が当接することにより内枠３の下端辺４に対して平行に設置されると共に、その長手方向の一端面が内枠３の非軸支側の側端面５と同一面上に位置するよう設置される主体部２０と、主体部２０の長手方向に沿ってスライド移動する第１スライド移動部材４１と主体部２０の長手方向と直交する方向で第１スライド移動部材４１に対してスライド移動する第２スライド移動部材５０とを有するスライド移動部４０と、第２スライド移動部材５０の先端側に設けられ、アウト玉排出口７から排出されるアウト玉の排出位置に合わせる位置合わせ部５５と、から構成されている。以下、ゲージ器１０を構成する構成部品ごとに説明する。
【００４１】
まず、主体部２０は、図１に示すように、横長に形成される主体スライド部２１と、この主体スライド部２１の一端側に立設される内枠載置部２２とによって、ほぼＬ字形状に形成されるものである。主体スライド部２１は角柱形状に形成されるものであり、その内枠載置部２２が形成される側の端部が上方に立設し、その上面が内枠３を載置する載置面２３として形成されている。
【００４２】
また、内枠載置部２２は、上記した載置面２３を囲むように平板を組み合わせたような形状に形成され、平面視でほぼＦ字形状となるように形成されるものである。この載置面２３を囲む部分のうち、後面側に位置する内側面が内枠３の裏面下部が当接する第１当接部２４として形成され、また、載置面２３を囲む部分のうち、端部の内側面が内枠３の非軸支側の側端面５が当接する第２当接部２６として形成されている。更に、第２当接面２６の後面側に向かう延長部分は、外枠８の後述する側壁外部面９が当接する外枠当接部２５として形成されている。なお、第２当接面２６と外枠当接面２５とはほぼ同一面上に形成されるものである。
【００４３】
上記した主体スライド部２１の内枠載置部２２と反対側の端部側には、内枠３が載置される載置スライド部材２７がスライド移動可能に取り付けられている。この載置スライド部材２７は、その下部が主体スライド部２１に嵌入される嵌入部３０としてほぼコ字形状で形成されると共に、その上部が内枠３を載置する載置面２８及び内枠３の裏面下部が当接する第１当接部２９としてほぼＬ字形状で形成されている。
【００４４】
なお、前述した内枠載置部２２の載置面２３と載置面２８とは、ほぼ同一平面状に位置し、また、前述した内枠載置部２２の第１当接面２４と載置スライド部材２７の第１当接面２９も、ほぼ同一平面状に位置している。
【００４５】
また、上記した主体スライド部２１の内枠載置部２２と載置スライド部材２７との間には、アウト玉排出口７から排出されるアウト玉の排出位置に合わせるための位置合わせ部５５が設けられるスライド移動部４０がスライド移動可能に取り付けられている。このスライド移動部４０は、前述したように、主体部２０の長手方向に沿ってスライド移動する第１スライド移動部材４１と主体部２０の長手方向と直交する方向で第１スライド移動部材４１に対してスライド移動する第２スライド移動部材５０とを有している。
【００４６】
上記した第１スライド移動部材４１は、その下部が主体スライド部２１に嵌入される嵌入部４２としてほぼコ字形状で形成されると共に、その上部は後面側に下り傾斜した三角柱形状で上部部材４７として形成され、この上部部材４７の傾斜面には、パチンコ機２の下方からアウト玉排出口７を視認するための鏡４５が備えられている。また、上部部材４７の長手方向ほぼ中央部には、第２スライド移動部材５０が嵌入される嵌入溝４３が形成されており、この嵌入溝４３の下部両側方には、第２スライド移動部材５０の後述するスライド溝５１に係合する係合片４４が突設されている。
【００４７】
また、上記した第２スライド移動部材５０は、ほぼ直方体形状に形成されるものであり、その長手方向に沿って両側方下部に、第１スライド移動部材４１の上記した係合片４４が係合するスライド溝５１が形成されている。また、第２スライド移動部材５０の上面には、第１スライド移動部材４１と同様に、アウト玉排出口７を視認するための鏡５２が備えられている。更に、第２スライド移動部材５０の先端側には、アウト玉排出口７から排出されるアウト玉の排出位置に合わせるための位置合わせ部５５が設けられている。この位置合わせ部５５は、上下方向で伸縮する伸縮部材５６に取り付けられているため、伸縮部材５６を伸縮させることにより、その高さ位置を調節することができる。この伸縮部材５６は、一辺の長さが異なる複数の角柱状の部材を重ね合わせることにより構成されており、段階的に上下方向で伸縮するものである。
【００４８】
しかして、この伸縮部材５６は、例えば、アウト玉排出口７が内枠３の下端面から離れた位置にあり、位置合わせ部５５をアウト玉排出口７の排出位置に合わせ難い場合に有効であり、位置合わせ部５５を上方に伸ばしてアウト玉排出口７に近づけることにより、位置合わせ部５５とアウト玉排出口７との配置関係が把握し易くなり、位置合わせ部５５をアウト玉排出口７の排出位置に容易に合わせることができるという効果がある。
【００４９】
上記した各部材により構成されるゲージ器１０においては、主体部２０の主体スライド部２１に嵌入された載置スライド部材２７が主体部２０の長手方向に沿ってスライド移動が可能である。また、同じく主体部２０の主体スライド部２１に嵌入された第１スライド移動部材４１が主体部２０の長手方向に沿ってスライド移動が可能である。更に、第１スライド移動部材４１の嵌入溝４３に嵌入された第２スライド移動部材５０が主体部２０の長手方向と直交する方向で第１スライド移動部材４１に対してスライド移動が可能である。
【００５０】
しかして、上記のように構成されたゲージ器１０を用いてアウト玉排出口７の排出位置を合わせる作業は、次のように行なう。まず、図２に示すように、第２当接部２６を内枠３の側端面５に当接させると共に、図３に示すように、第１当接部２４，２９を内枠３の裏面下部に当接させる。この後、第１スライド移動部材４１及び第２スライド移動部材５０をそれぞれ主体部２０の長手方向及び長手方向と直交する方向でスライド移動させて、第２スライド移動部材５０の位置合わせ部５５をアウト玉排出口７のアウト玉の排出位置、即ち、アウト玉排出口７の下方位置に配置させる。
【００５１】
上記のように、主体部２０には、第２当接部２６が形成されているため、第２当接部２６を内枠３の非軸支側の側端面５に当接させることでゲージ器１０を内枠３に対して設置し易くなると共に、内枠３と主体部２０との位置関係を常に一定に保つことができるため、第２スライド移動部材５０の位置合わせ部５５をアウト玉の排出位置に合わせる作業が行い易くなる。
【００５２】
第２スライド移動部材５０の位置合わせ部５５をアウト玉の排出位置に合わせた後、図４乃至図６に示すように、ゲージ器１０の外枠８を構成する下枠板１２に載置すると共に、外枠当接部２５を側壁外部面９に当接させる。そして、アウト玉の排出位置に合わせた第２スライド移動部材５０の位置合わせ部５５が示す位置に、アウト玉回収装置１１の玉受け部６０を配置させる。なお、図５及び図６には、載置スライド部材２７が省略されている。
【００５３】
上記のように、主体部２０には、外枠当接部２５が形成されているため、外枠当接部２５を外枠８の側壁外部面９に当接させることでゲージ器１０を外枠８に対して設置し易くなると共に、外枠８と主体部２０との位置関係を常に一定に保つことができるため、アウト玉の排出位置に合わせた第２スライド移動部材５０の位置合わせ部５５が示す位置にアウト玉回収装置１１の玉受け部６０を配置させる作業が行い易くなり、複数のアウト玉回収装置１１の玉受け部６０における配置位置の調整が更に、容易となる。
【００５４】
上記のようにして、アウト玉回収装置１１の玉受け部６０をアウト玉の排出位置に合わせて配置することができる。そして、アウト玉の排出位置に調整済みのゲージ器１０を、上記と同様に外枠８の下枠板１２に載置してアウト玉回収装置１１の玉受け部６０の位置を決める作業を繰り返すことにより、複数のアウト玉回収装置１１の玉受け部６０の調整を一様に行なうことができる。即ち、本実施形態に係るゲージ器１０を用いることにより、複数のアウト玉回収装置１１の玉受け部６０の調整を同一の基準で、一様に容易に調整することができるようになる。
【００５５】
なお、上記したゲージ器１０には、内枠３及び外枠８に対するゲージ器１０の位置を決めるために、それぞれ第２当接部２６及び外枠当接部２５が形成されているものを示したが、これに限らず、第２当接部２６及び外枠当接部２５が形成されていないものであってもよい。この場合、内枠３の非軸支側の側端面５及び外枠８の非軸支側の側壁外部面９と主体部２０の長手方向の一端面との位置関係を考慮する。具体的には、第２スライド移動部材５０の位置合わせ部５５をアウト玉排出口７のアウト玉の排出位置に合わせる作業の際に、主体部２０の長手方向の一端面を内枠３の非軸支側の側端面５に合わせた場合には、同じく主体部２０の長手方向の一端面を、内枠３の非軸支側の側端面５と同一面上に位置する外枠８の非軸支側の側壁外部面９に合わせる。
【００５６】
また、上記した実施形態（第１実施形態）に係るゲージ器１０では、内枠３に設置することにより位置合わせ部５５をアウト玉排出口７に合わせた後にゲージ器１０を外枠８に載置し、この位置合わせ部材５５の位置に合わせてアウト玉回収装置１１の玉受け部６０を配置するものを示した。しかし、このようなものに限らず、主体部２０に内枠３の非軸支側の側端面５からの距離を計測可能な左右計測目盛り３２が形成されると共に、第２スライド移動部材５０に内枠３の裏面からの距離を計測可能な前後計測目盛り５４が形成されることにより、内枠３の非軸支側の側端面から排出位置までの距離及び内枠３の裏面から前記排出位置までの距離が計測可能なゲージ器１０であってもよい。このような実施形態（第２実施形態）に係るゲージ器１０について、以下に図を参照して説明する。なお、第１実施形態に係るゲージ器１０と同一の機能を奏する部品には同一の符号を付した。
【００５７】
図７に示す第２実施形態に係るゲージ器１０は、一部の構成を除いて第１実施形態に係るゲージ器１０と同様に構成されている。第１実施形態に係るゲージ器１０との相違は、第２実施形態に係るゲージ器１０には、主体部２０の主体スライド部２１に左右計測目盛り３２が、スライド移動部４０の第２スライド移動部材５０に前後計測目盛り５４が形成され、また、スライド移動部４０の第１スライド移動部材４１に目盛り表示窓４６が形成されている点である。また、第１実施形態に係るゲージ器１０の内枠載置部２２の外枠当接部２５が形成されていない点である。
【００５８】
また、図１０に示す第２実施形態に係るアウト玉回収装置１１も、一部の構成を除いて第１実施形態に係るアウト玉回収装置１１とほぼ同様に構成されている。
第１実施形態に係るアウト玉回収装置１１との相違は、第２実施形態に係るアウト玉回収装置１１には、本体ベース７５の左右計測値目盛り７７が、玉受け部６０の底面部材６９に前後計測値目盛り６７が形成されている点である。また、スライドベース７０に位置指示部７４及び目盛り表示窓８１が形成されている点である。
【００５９】
上記した相違する構成以外は、第１実施形態に係るゲージ器１０及びアウト玉回収装置１１とまったく同様の構成であるため、以下、上記した相違部分についてのみ説明する。
【００６０】
まず、主体スライド部２１の後面側及び上面側には、図７及び図８で示すように、左右計測目盛り３２が形成されている。この左右計測目盛り３２は、第２当接部２６を始点（０）として始まるものであり、主体スライド部２１の内枠載置部２２が形成される端部と反対側の端部に亘って形成されるものである。
【００６１】
また、第１スライド移動部材４１の後面側には、図７及び図８で示すように、上記した左右計測目盛り３２が表示される目盛り表示窓４６が形成されている。この目盛り表示窓４６は、アウト玉の排出位置を示す位置合わせ部５５の下方に形成されているため、この位置合わせ部５５が左右計測目盛り３２のいずれの目盛りの上に位置しているかを視認することができる。即ち、第２当接部２６から位置合わせ部５５までの距離を計測することができ、ひいては内枠３の側端面５からアウト玉排出口７のアウト玉の排出位置までの距離を計測することができる。例えば、位置合わせ部５５の中心点が左右計測目盛り３３の「３２ｃｍ」の目盛りと「３３ｃｍ」の目盛りの間に位置している場合には、内枠３の側端面５からアウト玉排出口７までの距離は約３２〜３３ｃｍとなる。なお、本実施形態ではｃｍ単位で左右計測目盛りを刻んだが、より正確な内枠３の側端面５からアウト玉排出口７までの距離が欲しい場合には、ｍｍ単位まで左右計測目盛りを刻むと良い。
【００６２】
また、第２スライド移動部材５０の側面には、図７及び図９で示すように、前後計測目盛り５４が形成されている。この前後計測目盛り５４は、第１当接部２４，２９から位置合わせ部５５までの距離、即ち、内枠３の裏面からアウト玉排出口７のアウト玉の排出位置までの距離を計測するものであり、第１スライド移動部材４１の後端面が指す目盛りがその距離を表示するようになっている。例えば、図７に示すように、第１スライド移動部材４１の後端面が位置合わせ部５５側から８つめの目盛りを指している場合には、内枠３の裏面からアウト玉排出口７までの距離は「８ｃｍ」（図では、数値及び単位は省略）となる。なお、前述では、内枠３の裏面からアウト玉排出口７のアウト玉の排出位置までの距離は、第１スライド移動部材４１の後端面が指す目盛りとしたが、より正確には、図９に示すように、主体部２０の主体スライド部２１の後端面が示す目盛りである。従って、より正確な距離を出したいときには、例えば、第１スライド移動部材４１の板厚等を考慮する必要があるが、出願人の実験では、大きな問題とならないと判断している。
【００６３】
上記のように、第２実施形態に係るゲージ器１０を用いることにより、アウト玉排出口７のアウト玉の排出位置を計測することができる。
【００６４】
次に、第２実施形態に係るアウト玉回収装置１１の本体ベース７５の後面側には、図１０に示すように、左右計測値目盛り７７が形成されている。この左右計測値目盛り７７は、本体ベース７５の一端部を始点（０）として始まるものであり、この一端部とは内枠３の非軸支側と対応する側の端部である。なお、本体ベース７５は、図１０に示すように、この左右計測値目盛り７７の始点となる一端部が外枠８の側壁外部面９と同一面上に位置するように、パチンコ島台１に対して取り付けられている。従って、左右計測値目盛り７７の始点は側壁外部面９と対応すると共に、内枠３の側端面５とも対応することとなる。
【００６５】
また、スライドベース７０の後面側には、図１０に示すように、上記した左右計測値目盛り７７が表示される目盛り表示窓８１が形成されている。この目盛り表示窓８１は、玉受け部６０の下方に形成されているため、玉受け部６０の左右方向の中心が左右計測値目盛り７７のいずれの目盛りの上に位置しているかを視認することができる。これにより、外枠８の側壁外部面９から所望の距離の位置に玉受け部６０の左右方向の中心を位置させることができ、ひいては、内枠３の側端面５から所望の距離の位置に玉受け部６０の左右方向の中心を位置させることができる。このため、ゲージ器１０の左右計測目盛り３２によって計測した内枠３の側端面５からアウト玉排出口７のアウト玉の排出位置までの距離の数値を用いることにより、玉受け部６０の左右方向の中心をアウト玉排出口７のアウト玉の排出位置に合わせることができる。
【００６６】
例えば、上述で例示したように、ゲージ器１０の左右計測目盛り３２によって位置合わせ部５５の位置が内枠３の側端面５から「３０ｃｍ」であった場合に、本体ベース７５の左右計測値目盛り７７の「３０ｃｍ」の位置に玉受け部６０の左右方向の中心を位置させることにより、玉受け部６０の左右方向の中心をアウト玉排出口７のアウト玉の排出位置に合わせることができる。
【００６７】
また、図１０に示すように、底板部材６９の側面に前後計測値目盛り６７が形成されると共に、スライドベース７０の上面に位置指示部７４が形成されている。この前後計測値目盛り６７は、内枠３の裏面から玉受け部６０の前後方向の中心までの距離を示すものであり、位置指示部７４が示す目盛りがその距離を示すように、本体ベース７５が設置されている。例えば、図１０に示すように、位置指示部７４が後面側の最初の目盛りを指している場合には、内枠３の裏面から玉受け部６０の前後方向の中心までの距離は６ｃｍ（図では、数値及び単位は省略）となり、前面側に向かって７ｃｍ，８ｃｍ，９ｃｍ・・・となっていく。これにより、内枠３の裏面から所望の距離の位置に玉受け部６０の前後方向の中心を位置させることができる。このため、ゲージ器１０の前後計測目盛り５４によって計測した内枠３の裏面からアウト玉排出口７のアウト玉の排出位置までの距離の数値を用いることにより、玉受け部６０の前後方向の中心をアウト玉排出口７のアウト玉の排出位置に合わせることができる。
【００６８】
例えば、上述で例示したように、ゲージ器１０の前後計測目盛り５４によって位置合わせ部５５の位置が内枠３の裏面から「６ｃｍ」であった場合に、玉受け部６０の前後計測値目盛り６７の「６ｃｍ」の位置を位置指示部７４に合わせることにより、玉受け部６０の前後方向の中心をアウト玉排出口７のアウト玉の排出位置に合わせることができる。
【００６９】
以上のように、主体部２０には、内枠３の非軸支側の側端面５からの距離を計測可能な左右計測目盛り３２が形成されると共に、第２スライド移動部材５０には、内枠３の裏面からの距離を計測可能な前後計測目盛り５４が形成され、内枠３の非軸支側の側端面から排出位置までの距離及び内枠３の裏面から排出位置までの距離を計測可能である。これにより、計測結果を用いてアウト玉回収装置１１の玉受け部６０の配置位置を決定することができるため、複数のパチンコ機２にそれぞれ備えられるすべてのアウト玉回収装置１１の玉受け部６０の配置位置を、計測した結果を用いて容易に決定することができる。
【００７０】
以上、第２実施形態に係るゲージ器１０について説明したが、上記した第２実施形態に係るゲージ器１０は、主体部２０及び第２スライド移動部材５０にそれぞれ形成される左右計測目盛り３２及び前後計測目盛り５４は、内枠３の側端面５及び裏面からアウト玉排出口７のアウト玉の排出位置までの距離を計測するためのものであったが、距離を計測するものではなく、アウト玉回収装置１１側に形成された目盛りと相対的に対応する目盛りがゲージ器１０に形成されているものであってもよい。このような実施形態（第３実施形態）に係るゲージ器１０について、以下に図を参照して説明する。なお、第１，第２実施形態に係るゲージ器１０と同一の機能を奏する部品には同一の符号を付した。
【００７１】
図１１に示す第３実施形態に係るゲージ器１０は、第２実施形態に係る左右計測目盛り３２及び前後計測目盛り５４がそれぞれゲージ器左右目盛り３１及びゲージ器前後目盛り５３となる以外はまったく同様の構成であるため、以下、この相違部分についてのみ説明する。
【００７２】
まず、主体スライド部２１の後面側及び上面側には、図１１で示すように、ゲージ器左右目盛り３１が形成されている。このゲージ器左右目盛り３１は、第２実施形態に係るゲージ器１０の左右計測目盛り３２とは異なり、必ずしも第２当接部２６を始点として始まるものでなくてもよく、例えば、スライド移動部４０が移動する可能性のある範囲等、図１１に示すような主体スライド部２１の一部に形成されるものでもよい。
【００７３】
また、第２スライド移動部材５０には、図１１で示すように、ゲージ器前後目盛り５３が形成されている。図１１に示すゲージ器前後目盛り５３は、第２実施形態に係るゲージ器１０の前後計測目盛り５４と同様、第２スライド移動部材５０の長手方向の全長に亘って形成されているが、これに限らずゲージ器左右目盛り３１と同様に第２スライド移動部材５０の一部に形成されるものであってもよい。
【００７４】
次に、図１２に示すように、第３実施形態に係るアウト玉回収装置１１の本体ベース７５の後面側には、玉受け部左右目盛り７６が形成されると共に、底板部材６９の側面には、玉受け部前後目盛り６６が形成されている。なお、第３実施形態に係るアウト玉回収装置１１の本体ベース７５は、第２実施形態に係るアウト玉回収装置１１の本体ベース７５と異なり、図１２に示すように、必ずしも非軸支側と対応する端部が外枠８の側壁外部面９と同一面上に位置していなくてもよい。
【００７５】
以上のように、ゲージ器１０の主体部２０及びアウト玉回収装置１１の本体ベース７５には、それぞれゲージ器左右目盛り３１及び玉受け部左右目盛り７６が形成されているが、これらの目盛りは互いに対応するように形成されている。具体的には、例えば、ゲージ器１０を内枠３に設置した場合のゲージ器左右目盛り３１における「１０」の目盛りの位置と、玉受け部左右目盛り７６における「１０」の目盛りの位置とは、パチンコ機２の左右方向で対応関係にある。
【００７６】
従って、ゲージ器１０を内枠３に設置し、位置合わせ部５５をアウト玉排出口７のアウト玉の排出位置に合わせた際、位置合わせ部５５がゲージ器左右目盛り３１における「１０」の目盛りの上に位置していた場合には、玉受け部６０の左右方向の中心を玉受け部左右目盛り７６における「１０」の目盛りの上に位置させることにより、玉受け部６０の左右方向の中心をアウト玉排出口７のアウト玉の排出位置に合わせることができる。
【００７７】
また、以上のように、ゲージ器１０の第２スライド移動部材５０及び玉受け部６０の底面部材６９の側面には、それぞれゲージ器前後目盛り５３及び玉受け部前後目盛り６６が形成されているが、これらの目盛りは互いに対応するように形成されている。具体的には、例えば、ゲージ器１０を内枠３に設置し、位置合わせ部５５をアウト玉排出口７のアウト玉の排出位置に合わせた際、第１スライド移動部材４１の後端面がゲージ器前後目盛り５３における「６」（図では、数値は省略）の目盛りを指す場合には、玉受け部６０の前後方向の中心をアウト玉排出口７のアウト玉の排出位置と合わせた際、位置指示部７４も玉受け部前後目盛り６６の「６」の目盛りを指すようになっている。
【００７８】
従って、第１スライド移動部材４１の後端面が指すゲージ器前後目盛り５３の目盛りの数値を、位置指示部７４が玉受け部前後目盛り６６の目盛りで指すように玉受け部６０を位置させることにより、玉受け部６０の前後方向の中心をアウト玉排出口７のアウト玉の排出位置に合わせることができる。
【００７９】
上記したように、本体ベース７５に玉受け部左右目盛り７６が形成されると共に、玉受け部６０に玉受け部前後目盛り６６が形成され、また、主体部２０に玉受け部左右目盛り７６と対応するゲージ器左右目盛り３１が形成されると共に、第２スライド移動部材５０に玉受け部前後目盛り６６と対応するゲージ器前後目盛り５３が形成されている。
【００８０】
これにより、ゲージ器１０の第２スライド移動部材５０の位置合わせ部５５をアウト玉排出口７のアウト玉の排出位置に合わせた際、第１スライド移動部材４１及び第２スライド移動部材５０の位置がそれぞれゲージ器左右目盛り３１及びゲージ器前後目盛り５３によって数値化され、この数値を玉受け部左右目盛り７６及び玉受け部前後目盛り６６にそれぞれ適用することにより、アウト玉回収装置１１の玉受け部６０をアウト玉排出口７のアウト玉の排出位置に合わせた位置に設置することができる。このため、アウト玉回収装置１１の玉受け部６０をアウト玉排出口７のアウト玉の排出位置に合わせる際、内枠３の非軸支側の側端面５及び外枠８の非軸支側の側壁外部面９と主体部２０の側端面５との位置関係を考慮しながら、ゲージ器１０を外枠８の下枠板１２に載置するという作業をする必要がなくなり、ゲージ器左右目盛り３１及びゲージ器前後目盛り５３の数値に基づいて、複数のアウト玉回収装置１１の玉受け部６０の配置位置を一様に容易に調整することができる。
【００８１】
なお、上記した第３実施形態においては、ゲージ器左右目盛り３１及びゲージ器前後目盛り５３が、それぞれ玉受け部左右目盛り７６及び玉受け部前後目盛り６６と一致していればよいため、例えば、Ａ，Ｂ，Ｃ・・・というようにアルファベットやあるいは記号、図形等、数値以外のものであってもよい。
【００８２】
また、上記した第３実施形態に係るアウト玉回収装置１１においては、玉受け部左右目盛り７６及び玉受け部前後目盛り６６が、それぞれ本体ベース７５及び玉受け部６０の底面部材６９に形成されるものを示したが、玉受け部左右目盛り７６及び玉受け部前後目盛り６６がスライドベース７０に形成されているものであってもよい。
【００８３】
また、上記した第２，第３実施形態に係るゲージ器１０の第１スライド移動部材４１及びアウト玉回収装置１１のスライドベース７０には、それぞれ目盛り表示窓４６，８１が形成されているものを示したが、目盛り表示窓４６，８１が形成されておらず、第１スライド移動部材４１の左右方向の端部及びスライドベース７０の左右方向の端部に合わせて数値を読み取るものであってもよい。なお、この場合には、第１スライド移動部材４１の端部から位置合わせ部５５までの距離とスライドベース７０の端部から玉受け部６０の左右方向の中心までの距離とを同じにする必要がある。
また、第１、第２、第３実施形態に係るゲージ器１０の位置合わせ部５５は、第２スライド移動部材５０の先端側に別部材で設けられているが、第２スライド移動部材５０の先端側に一体形成された突起部としてもよく、また、突起部とするのではなく、第２スライド移動部材５０自体に付した指標でもよい。
【００８４】
また、第１、第２、第３実施形態では、所謂、「パチンコ機」に対するアウト玉回収装置１１の玉受け部６０の配置位置の調整を例に挙げたが、本技術思想から逸脱していなければ、「パチンコ機」に対するものでなくてもよい。例えば、アレンジボール、パロット遊技機、じゃん球等。
【００８５】
ところで、上記したパチンコ機２等が設置されるパチンコ島台１の内部には、図１３に示すように、使用済みプリペイドカード等がアウト玉回収樋内へ混入することを防止するためのガードネット８５が取り付けられている。このガードネット８５は、従来、合成樹脂製のものが使用されており、パチンコ島台１に取り付ける際に、パチンコ島台１を構成する島柱８６が位置する部分を切り欠いて取り付けていた。また、上記したように、アウト玉回収樋の上方には、アウト玉回収装置１１の玉計数器６４に形成された玉通過穴が臨んでおり、この玉通過穴からアウト玉回収樋へ向けてパチンコ玉が排出されるため、この玉通過穴の位置に合わせてガードネット８５を切り抜かなければならなかった。
【００８６】
これに対し、本実施形態に係るパチンコ島台１においては、上記したガードネット８５は、従来と異なり伸縮性に富むゴム製のものが使用されている。本実施形態に係るガードネット８５をパチンコ島台１に取り付ける場合、例えば、島柱８６の両側近傍に打ち付けた釘にガードネット８５の端部の網目を引っ掛けることにより用に取り付けることができる。また、ガードネット８５の端部の網目を広げ、アウト玉回収装置１１の玉計数器６４に形成された玉通過穴に合わせて取り付けることにより、玉通過穴から排出されたパチンコ玉がアウト玉回収樋で受け止めることができる。
【００８７】
上記のように、本実施形態に係るパチンコ島台１のガードネット８５は、伸縮性に富むゴム製のものを使用しているため、従来のガードネット８５のようにアウト玉回収装置１１の玉計数器６４に形成された玉通過穴に合わせて切り抜いたり、あるいは、ガードネットをパチンコ島台１に取り付ける際に、島柱８６が位置する部分を切り欠く必要がない。このため、効率よくガードネット８５の取付作業を行なうことができる。また、自由に伸縮するため、島台の幅寸法や全長の異なる複数種類のパチンコ島台に対して対応することができる。
【図面の簡単な説明】
【００８８】
【図１】第１実施形態に係るゲージ器を内枠に設置する状態の斜視図である。
【図２】第１実施形態に係るゲージ器を内枠に設置した状態の正面図である。
【図３】第１実施形態に係るゲージ器を内枠に設置した状態の側面図である。
【図４】第１実施形態に係るゲージ器を外枠に設置してアウト玉回収装置の玉受け部６０の配置位置を調整する状態の斜視図である。
【図５】第１実施形態に係るゲージ器を外枠に設置する状態の平面図である。
【図６】第１実施形態に係るゲージ器を外枠に設置した状態の平面図である。
【図７】第２実施形態に係るゲージ器を内枠に設置する状態の斜視図である。
【図８】第２実施形態に係るゲージ器を内枠に設置した状態の正面図である。
【図９】第２実施形態に係るゲージ器を内枠に設置した状態の側面図である。
【図１０】第２実施形態に係るアウト玉回収装置の玉受け部６０の配置位置を調整する状態の斜視図である。
【図１１】第３実施形態に係るゲージ器を内枠に設置する状態の斜視図である。
【図１２】第３実施形態に係るアウト玉回収装置の玉受け部６０の配置位置を調整する状態の斜視図である。
【図１３】パチンコ島台内にガードネットを取り付けた状態の斜視図である。
【符号の説明】
【００８９】
１  パチンコ島台
２  パチンコ機
３  内枠
５  側端面
７  アウト玉排出口
８  外枠
９  側壁外部面
１０  ゲージ器
１１  アウト玉回収装置
２０  主体部
２４  第１当接部
２６  第２当接部
２９  第１当接部
３１  ゲージ器左右目盛り
３２  左右計測目盛り
４１  第１スライド移動部材
４５  鏡
５０  第２スライド移動部材
５２  鏡
５３  ゲージ器前後目盛り
５４  前後計測目盛り
５５  位置合わせ部
５６  伸縮部材
６０  玉受け部
６６  玉受け部前後目盛り
６７  前後計測値目盛り
７０  スライドベース
７５  本体ベース
７６  玉受け部左右目盛り
７７  左右計測値目盛り
【図１】
2005319125.tif 000003
【図２】
2005319125.tif 000004
【図３】
2005319125.tif 000005
【図４】
2005319125.tif 000006
【図５】
2005319125.tif 000007
【図６】
2005319125.tif 000008
【図７】
2005319125.tif 000009
【図８】
2005319125.tif 000010
【図９】
2005319125.tif 000011
【図１０】
2005319125.tif 000012
【図１１】
2005319125.tif 000013
【図１２】
2005319125.tif 000014
【図１３】
2005319125.tif 000015